(57)【特許請求の範囲】
【請求項１】
脚装置と座部と背部とを有しており、
前記背部は、着座者の後ろ向きの体圧がかかる布帛製の薄シート材と、前記薄シート材が張られた上下長手の左右起立状サイドフレームとを備えており、
前記起立状サイドフレームは、前記座部とは別部材であって上向きに立ち上がっていて上端は自由端になっている一方、
前記薄シート材は、少なくとも左右方向に伸縮する弾性を有していると共に、弾性限度内で少なくとも左右方向に引き伸ばされた状態で前記起立状サイドフレームに取り付けられている構成であって、
前記左右起立状サイドフレームの上端に、後ろ向きに曲がってから下向きに延びる上鉤状部が設けられていて、左右の上鉤状部は左右横長のアッパーフレームで連結されている一方、
前記薄シート材の上端部を前記左右起立状サイドフレームの上鉤状部及びアッパーフレームに保持させることにより、前記薄シート材の上端にも後ろ向きに曲がってから下向きに延びる上鉤状部が形成されており、
かつ、前記左右起立状サイドフレームは、両者の間隔が保持されるように左右横長の連結フレームで連結されている、
椅子。
【発明の詳細な説明】
【技術分野】
【０００１】
本願発明は、椅子に関するものである。ここで、椅子にはソファーやベンチなども含まれる。また、可動式と固定式との別やキャスタの有無、上下昇降の有無、ロッキング機能の有無等も問わない。
【背景技術】
【０００２】
椅子において、着座者の体圧が掛かる部分を編地又は織地のような布帛製の薄シート材で構成することは広く行われている。この場合、薄シート材はフレーム材に取り付けられているが、薄シート材として伸縮性のあるものを使用して、薄シート材を張った状態に保持することが提案されている。
【０００３】
その例として特許文献１には、薄シート材（膜状部材）を熱収縮性樹脂で構成して、薄シート材を、ループ形状のフレーム材にテンションが掛かっていない状態で取付け、それから加熱することにより、薄シート材を張った状態に保持することが記載されている。
【０００４】
他方、本願発明者が共同発明者に含まれる特許文献２には、背と座とを一体に連続させた椅子において、フレーム材を左右メンバーとアッパーメンバーとが連続したＵ型に構成する一方、薄シート材の周囲には筒部を形成し、筒部をその一端からフレーム材に嵌め込んでいくことで薄シート材をフレーム材に取り付け、それからフレーム材の先端間をフロントメンバーで連結して、薄シート材をピンと張った状態に保持することが開示されている。
【先行技術文献】
【特許文献】
【０００５】
【特許文献１】特許第４９３２９８３号公報
【特許文献２】特開２０１０−１５４８７９号公報
【発明の概要】
【発明が解決しようとする課題】
【０００６】
さて、特許文献１を初めとして従来の薄シート材方式の座では、薄シート材の前端を保持するため座の前端にもフレーム材が配置されており、このため、着座者の大腿部がフレーム材の前端部に当たって（突き上げられて）着座者に不快感を与えたり、血行不良を引き起こしたりする問題がある。また、背部においても、上端のフレームが着座者の背中に当たって不快感を与えることもあった。
【０００７】
他方、例えば、座用薄シート材の左右側部のみをフレーム材に取り付けた折り畳み式の椅子も存在しており、この場合は、着座者の大腿部がフレーム材に当たることはないが、薄シート材は強いテンションが掛けられた状態には張られてないため身体の安定性が悪くて、オフィス用や会議用のような椅子には適していない。
【０００８】
上記のとおり、薄シート材にはかなり強いテンションを掛けておかないと着座者を安定的に支持することはできないため、特許文献１の構成では、予めテンションが掛かっているとは云うものの、熱収縮によるテンションの強さは僅かであるため、外観上はピンと張った状態に見えても、実際に着座者の体圧が掛かると過度に変形し過ぎて、座り心地が悪いおそれがある。
【０００９】
本願発明はこのような現状に鑑み成されたものであり、着座者の背中への当たりを防止しつつ身体の支持安定性にも優れた椅子を提供せんとするものである。
【課題を解決するための手段】
【００１０】
本願発明は、
「脚装置と座部と背部とを有しており、
前記背部は、着座者の後ろ向きの体圧がかかる布帛製の薄シート材と、前記薄シート材が張られた上下長手の左右起立状サイドフレームとを備えており、
前記起立状サイドフレームは、前記座部とは別部材であって上向きに立ち上がっていて上端は自由端になっている一方、
前記薄シート材は、少なくとも左右方向に伸縮する弾性を有していると共に、弾性限度内で少なくとも左右方向に引き伸ばされた状態で前記起立状サイドフレームに取り付けられている構成であって、
前記左右起立状サイドフレームの上端に、後ろ向きに曲がってから下向きに延びる上鉤状部が設けられていて、左右の上鉤状部は左右横長のアッパーフレームで連結されている一方、
前記薄シート材の上端部を前記左右起立状サイドフレームの上鉤状部及びアッパーフレームに保持させることにより、前記薄シート材の上端にも後ろ向きに曲がってから下向きに延びる上鉤状部が形成されており、
かつ、前記左右起立状サイドフレームは、両者の間隔が保持されるように左右横長の連結フレームで連結されている、」
というものである。
【００１１】
【００１２】
【００１３】
【００１４】
【発明の効果】
【００１５】
さて、椅子を使用する人の体重は様々であり、体重が重い人に合わせて弾性力が非常に強いものを使用すると、薄シート材を弛みがないだけの状態に張っただけでも、体重の重い人に対しては適度のクッション性を提供できるが、この場合は、体重が軽い人に対してはクッション性は悪いものとなる。他方、体重が軽い人に合わせて弾性力が小さいものを使用すると、薄シート材を弛みがないだけの状態に張った場合、体重の軽い人に対しては適度のクッション性を提供できるが、体重が重い人が使用すると過度に沈み過ぎて使用感が悪くなる。
【００１６】
これに対して本願発明では、薄シート材は弾性限度内で少なくとも左右方向に引き伸ばされているため、適度の弾性力の薄シート材を使用することにより、着座者の体重が多少は相違しても、体圧で薄シート材が過度に沈み込むようなことはなく、使用者の身体を弾性的に支持できる。従って、オフィス用椅子や会議用椅子などにも問題なく使用できて、汎用性が高い。
【００１７】
そして、背部を構成する薄シート材の上端部は上鉤状部になっているため、背中がアッパーフレームに当たることはなくて、背中への当たりが非常に柔らかい。このように、背中への当たりを無くした状態で身体をしっかりと支持できるため、従来に比べて座り心地・使用感を格段に向上できる。
【００１８】
薄シート材を縦方向にも伸ばすと、薄シート材は着座者の身体によって左右方向と縦方向との両方の伸びに強い抵抗を発揮するため、クッション性とフィット性とを一層向上できる利点がある。
【００１９】
【００２０】
【００２１】
【００２２】
【００２３】
【００２４】
【００２５】
【図面の簡単な説明】
【００２６】
【図１】第１参考例を示す図で、（Ａ）は分離斜視図、（Ｂ）はフレーム材の斜視図、（Ｂ）は薄シート材の編み構造（緯編構造）を示す模式図である。
【図２】第１参考例を示す図で、（Ａ）は薄シート材の取付け手順を示す図、（Ｂ）は（Ａ）のＢ−Ｂ視断面図、（Ｃ）（Ｄ）はフレーム材の別例断面図、（Ｅ）は薄シート材とフレーム材との寸法関係を示す模式図である。
【図３】第１参考例を示す図で、（Ａ）は完成品の斜視図、（Ｂ）は組み立て途中での側面図である。
【図４】（Ａ）（Ｃ）（Ｄ）は他の参考例を示す図、（Ｂ）は実施形態を示す図である。
【発明を実施するための形態】
【００２７】
(1).第１参考例（図１〜３）
実施形態の説明に先立って、図１〜３に示す第１参考例を説明する。各参考例も実施形態も、同じ部材は同じ符号を付している。本参考例は、骨組みを金属パイプ（又は棒材）で構成した椅子に適用しており、図１のとおり、椅子は、布帛より成る薄シート材１をフレーム材２に取付けて構成された身体支持ユニット３と、身体支持ユニット３が取付けられた脚装置（椅子本体）４とで構成されており、身体支持ユニット３は、座部５と背部６とが連続した形態になっている。
【００２８】
身体支持ユニット３のフレーム材２は、金属製の１本のパイプ又は丸棒を曲げることで構成されており、座部５の左右側部を構成する前後長手の水平状サイドフレーム７と、その後端から立ち上がった上下長手の起立状サイドフレーム（背支柱部）８と、左右起立状サイドフレーム８との上端を繋ぐ左右長手のアッパーフレーム９とを有しており、正面視と平面視では前向き開口コ字形（或いはＵ字形）で、側面視では略Ｌ字になっている。左右水平状サイド部７の前端には下向き部１０を設けている。
【００２９】
他方、脚装置４は従来のパイプ椅子の脚部とほぼ共通しており、上端部を構成する前後長手の左右サイド枠１１と、その前後に一体に曲げ形成した４本の足１２、及び、左右サイド枠１１を繋ぐ前後のステー１３，１４とによって構成されている。本参考例では、前後足１２とサイド枠１１とを一体構造にしているが、後ろの足１２と後部のステー１４とを一体構造にして、これにサイド枠８を接続するなどしてもよい。
【００３０】
図１（Ｃ）に模式的に示すように、薄シート材１を構成する布帛として緯編地が使用されており、薄シート材１の周縁部には、前端部を除いて一連に延びる筒部１５が編み込み形成されている。そして、筒部１５をフレーム材２に嵌め入れることで、薄シート材１をフレーム材２に取付けている。フレーム材２は、図２（Ｂ）に示す円形（真円形）や図２（Ｃ）に示す横長小判形、或いは、図２（Ｄ）に示す横長テーパ管、図示しない楕円形（オーバル管）など、各種の断面形状のものを使用できる。
【００３１】
図２（Ｃ）に示すように、フレーム材２に取り付ける前の状態での薄シート材１の大きさは、左右横幅Ｌ１はフレーム材２の左右横幅Ｌ１′よりもある程度の寸法だけ小さく、背部６の箇所の上下長さ寸法（縦長寸法）Ｌ２はフレーム材２における起立状サイドフレーム８の上下高さ寸法Ｌ２′よりも少し短く、座部５の箇所の前後長さ寸法Ｌ３はフレーム材２における水平状サイドフレーム７の前後長さ寸法Ｌ３′よりも少し短く、前端の下向き部の上下巾寸法Ｌ４はフレーム材２における下向き部１０の高さ寸法Ｌ４′よりも少し小さくなっている。
【００３２】
従って、薄シート材１は、図２（Ａ）に示すように、筒部１５の一端をフレーム材２の一端に嵌めてからずり込んでいくことで取付けられているが、この取り付けは、薄シート材１を左右方向と縦方向とに強引に伸ばしてテンションをかけながら行われる。このため、フレーム材２に取り付けた後の薄シート材１には強いプリテンションが掛かっている。
【００３３】
フレーム材２には薄シート材１のテンションが作用しているため、薄シート材１の取り付けの過程で、フレーム材２は左右下向き部１０の間隔が狭まるように変形する。従って、薄シート材１を取り付け終えてから、フレーム材２の左右下向き部１０の間隔が所定寸法になるように広げることで、薄シート材１の各部に略等しいプリテンションが掛けられている。本参考例では、左右サイドフレーム７，８は、使用状態で平行になるように設定している。
【００３４】
フレーム材２に取り付けることによる薄シート材１の伸び率（テンションの量）は、左右方向で例えば１５％程度、左右方向と直交した縦方向（上下方向及び前後方向）では３％程度になっている。なお、縦方向にテンションを掛けた状態で、前端にをフレーム材２の前端からはみ出た余長部分を設けることは可能である。また、１５％や３％の伸びは、ここでは、引っ張り前の寸法に対する割合として使用している。
【００３５】
薄シート材１は縦横に強いプリテンションが掛けられているため、相当に強く引っ張られている。一般には、左右方向では１０〜２０％程度、縦方向では１〜５％程度の伸びが好ましい。更に述べると、薄シート材１は、座部５に使用した場合に体重が重い成人が着座しても弾性変形するように、全体として、例えば体重１５０ｋｇ程度の人が着座してもその着座荷重に耐える弾性強度を有している。伸び率の限度は大まかには最大３０％程度であるが、無荷重状態で、伸びの限度の２〜５割程度のテンションを掛けている。従って、特許文献１では得られない強いプリテンションが掛けられている。座５の箇所でのプリテンションを、背６の箇所でのプリテンションより大きくすることも可能である。
【００３６】
薄シート材１を構成する糸には強弾性糸が使用されており、これにより、一般成人が着座すると体重に応じて伸び変形して、非常に重い人であっても弾性限度内で支持できるように設定している。筒部１５の開口縁は、縫い付けて下向き部１０を塞いだり、下向き部１０に差し込んだキャップ（プラグ）で固定したりしたらよい。
【００３７】
身体支持ユニット３は、左右のサイドフレーム７，８を治具等で薄シート材１の弾性に抗して広げた状態で椅子本体４に重ねて、椅子本体４のサイド枠１１とフレーム材２の水平状サイドフレーム７とをビス１６等のファスナで締結することで、椅子本体４に固定される。これにより、薄シート材１に強いプリテンションが掛けられた椅子が完成する。
【００３８】
なお、ビス１６はフレーム材２の水平状サイドフレーム７にねじ込まれるが、水平状サイドフレーム７に予め補強材を挿入して固定しておき、この補強部材に雌ねじ穴を形成することも可能である。いずれにしても、ビス１６は、薄シート材１を貫通して雌ねじ穴にねじ込まれている。
【００３９】
この椅子は、薄シート材１の前端はフレーム材２には取り付けられていないため、着座者の大腿部がフレーム材２で突き上げられる現象は発生しない。また、薄シート材１には予め強いテンションが掛けられているため、体圧で薄シート材１が過度に沈み変形するようなことはない。これらの相乗作用により、座り心地がよい。
【００４０】
図１（Ｂ）に一点鎖線で示すように、フレーム材２における左右の下向き部１１をフロントフレーム１７で連結しておくことも可能である。このフロントフレーム１７は、フレーム材２の下向き部１０に下方から嵌まる上向き部１７ａと左右横長部１７ｂとを有しており、横長部１７ｂは着座者の足が当らないように後ろに逃がしている。このようにフロントフレーム１７で身体支持ユニット３としての形態を保持しておくと、運搬や組み立て作業が楽になるのみならず、脚装置４には薄シート材１のプリテンションが作用しないため、脚装置４の負担が軽くなって耐久性を向上できる利点がある。
【００４１】
図３（Ｂ）に一点鎖線で示すように、椅子本体４に支柱部１８を設けて、フレーム材２の起立状サイド枠８を支柱部１８にビス１９等で固定することも可能である。この場合は、左右支柱部１８の上端は一連に繋いでおくのが好ましい。
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
(6).他の参考例及び実施形態（図７（Ａ）〜（Ｄ））
図４のうち（Ａ）では第２参考例を示している。すなわちこの第２参考例は、基本的には第１参考例と同様であるが、第１参考例との相違点として、水平状サイドフレーム７の下向き部１０を側面視で後ろ向きに開口の横向きＵ形に形成している。すなわち、水平状サイドフレーム７の前端部に下上鉤状部が形成されている。下向き部１０の先端には、フロントフレーム材１７を嵌め込むことができる。この参考例では、薄シート材のうち着座者の下肢が当たる前端部が横向きＵ形に形成されて丸みを持っているため、身体に対する当たりの柔らかさを格段に向上できる。また、薄シート材１の前端をほぼ左右方向に一直線の姿勢にすることが可能であり、このため、身体への当たりの柔らかさの点では特に優れている。
【００５８】
図４（Ｂ）に示すのは本願発明の実施形態であり、フレーム材２は、上向きに立ち上がって上端を自由端と成した左右の起立状サイドフレーム８と、その上端に一体に繋がったアッパーフレーム９とで構成されている。そして、起立状サイドフレーム８の上端には、後ろ向きに曲がってから下向きに延びる上鉤状部８ａが設けられており、左右の上鉤状部８ａの先端（下端）に、左右横長のアッパーフレーム９が繋がっている。薄シート材１の上端部は、前記左右起立状サイドフレーム８の上鉤状部８ａとアッパーフレーム９とで保持されるため、前記薄シート材１の上端部にも、後ろ向きに曲がってから下向きに延びる上鉤状部が形成されている。
従って、薄シート材１のうち上端部であって着座者の身体が当たる部分とアッパーフレーム９との間には間隔が空いており、着座者の背中がアッパーフレーム９に当たることは無い。図示していないが、左右起立状サイドフレーム８の間隔が保持されるように、左右の起立状サイドフレーム８の下端に左右横長の連結フレームを連結している。従って、背部６として完成させておくことが可能である。
【００５９】
図４（Ｃ）に示す他の参考例は座部５のみに適用したものであり、左右下向き部１０の下端に後ろ向き部１０ｂを設けて、左右後ろ向き部１０ｂを左右横長のフロントフレーム部１０ａで繋いでいる。また、水平状サイドフレーム７にも後端にもＵ形の前向き部７ａを設けて、これらをリアフレーム１７′で繋いでいる。
【００６０】
図４（Ｄ）に示す他の参考例では、フレーム材２を左右メンバー２ａ，３ａに分離している。そして、水平状サイドフレーム７の下向き部１０に後ろ向き部１０ｂを設けることで下鉤状部１０ｂを形成して、これらをフロントフレーム１７で連結し、起立状サイドフレーム８の上端には上鉤状部８ａを設けて、これをアッパーフレーム１７″で連結している。左右メンバー２ａ，３ａは、連結バーのような部材を使用して、中間部においても連結するのが好ましい。
【００６１】
【００６２】
【００６３】
【００６４】
【００６５】
【００６６】
【００６７】
【００６８】
【００６９】
以上、本願発明の実施形態を説明したが、本願発明は更に様々に具体化できる。例えば、適用対象たる椅子は４本足方式には限らないのであり、回転椅子や固定式椅子などにも適用できる。
【産業上の利用可能性】
【００７０】
本願発明は、実際に椅子に具体化できる。従って、産業上利用できる。
【符号の説明】
【００７１】
１  薄シート材
２  フレーム材
３  身体支持ユニット
４  椅子本体
５  座部
６  背部
７  水平状サイドフレーム
８  起立状サイドフレーム
８ａ  上鉤状部
９  アッパーフレーム
１５  筒部
【図１】
0005957067.tif 000002
【図２】
0005957067.tif 000003
【図３】
0005957067.tif 000004
【図４】
0005957067.tif 000005